(57)【要約】【課題】主にビデオ機器及びカメラ機器、周辺機器にDC電源を出力する端子を有する特にリチウムイオンバッテリー充電器及びその充電器で充電するリチウムイオンバッテリー及びバッテリー運用システムを提供する。【解決手段】本発明によれば、AC電源に接続可能なバッテリー充電器であって、バッテリーが接続可能であり、DC電圧を出力する端子を備え、切替スイッチにより、前記AC電源を電源として前記端子から前記DC電圧を出力するか、前記バッテリーを電源として前記端子から前記DC電圧を出力するかを切り替え可能に構成されている、バッテリー充電器が提供される。【選択図】図１
2019213338.tif 000002
【特許請求の範囲】
【請求項１】
AC電源に接続可能なバッテリー充電器であって、
バッテリーが接続可能であり、
DC電圧を出力する端子を備え、
切替スイッチにより、前記AC電源を電源として前記端子から前記DC電圧を出力するか、前記バッテリーを電源として前記端子から前記DC電圧を出力するかを切り替え可能に構成されている、バッテリー充電器。
【請求項２】
請求項１に記載のバッテリー充電器であって、
2本以上のバッテリーが接続可能である、バッテリー充電器。
【請求項３】
請求項２に記載のバッテリー充電器であって、
携帯電話のアプリと連動し無線で通信し充電中バッテリーの場所、及びバッテリーのコンディションが携帯電話で確認することのできる、バッテリー充電器。
【請求項４】
請求項１〜請求項３の何れか１つに記載のバッテリー充電器を備えるバッテリーシステムであって、
前記バッテリー充電器で充電されたバッテリーが直接携帯電話のアプリと連動し無線で通信し充電中バッテリーのコンディション、充電回数、内部温度、等が携帯電話で確認することのできるバッテリーシステム。
【請求項５】
請求項１〜請求項３の何れか１つに記載のバッテリー充電器を備えるバッテリーシステムであって、
前記バッテリー充電器で充電された電池本体の残量ボタンを長押しすることにより携帯電話のアプリを使用して直接通信して電池のコンディションを表示確認することのできるバッテリーシステム。
【発明の詳細な説明】
【技術分野】
【０００１】
本発明は、主にビデオ機器及びカメラ機器、周辺機器にDC電源を出力する端子を有する特にリチウムイオンバッテリー充電器及びその充電器で充電するリチウムイオンバッテリー及びバッテリー運用システムに関する。
【背景技術】
【０００２】
従来、映像撮影現場には、カメラやモニター、照明など、様々なDC駆動の機器が使用されているが、
使用方法ではバッテリー又は、ACアダプターを使用してDC駆動のビデオ機器にACアダプターを使用して長時間撮影等は運用している。近年のバッテリー技術の発展によって、比較的長時間の撮影でもバッテリー駆動での撮影、収録が増えてきている。また、バッテリー充電器においても切替によりACアダプター機能を有しているバッテリー充電器も増えてきている。充電されたバッテリーをバッテリーより図２（16）IDX社製  充電機能無し電源ターミナル等バッテリーをDC出力コネクターに変換し運用するためのバッテリーDC出力コネクターアダプター（充電機能無し電源ターミナル）が市販されている。
図３（17）日本ビデオシステム社製  4連充電器 AC電源使用時のみDC１５V電源出力可能が市販されている。バッテリー電源は公称１４．４Vが多く、バッテリーとほぼ同じ電圧が出力される。
【０００３】
このようなバッテリー充電器で充電するバッテリーにおいては、DC駆動するビデオ機器に対してバッテリー充電器で充電された電池による駆動と、バッテリー充電器の機能でAC接続されたバッテリー充電器の充電機能又はDC出力機能かを選択してAC電源接続時にDC電源を出力する運用がおこなうこともできる。また、バッテリーを２個接続できてDC電源出力を有するバッテリーDC出力コネクターアダプターがあるがビデオ機器及びカメラ機器、周辺機器にDC電源出力をするだけの機能を有していてそのバッテリーDC出力コネクターアダプターは充電機能を有さない。
【０００４】
現在、市販されているバッテリー充電器及びその充電器で充電するバッテリーにおいては、充電モード、AC-DC出力モードの切替が可能になっている。
【発明の概要】
【発明が解決しようとする課題】
【０００５】
このようなバッテリー充電器及びその充電器で充電するバッテリー使えば充電が終わったバッテリーをDC駆動機器に接続して運用することもできるし、また、長時間撮影等にはバッテリー充電器機能でAC電源よりDC出力するAC-DC機能で運用できるが、大容量のカメラ装置など、もともとバッテリー充電器機能のAC-DCでは容量不足、バッテリー装着運用においてもバッテリーの交換している時は運用しているカメラ機器を一旦とめなければならなかった。充電されたバッテリーを別のバッテリーDC出力コネクターアダプターに接続してビデオ機器及びカメラ機器、周辺機器を運用していた。このバッテリーDC出力コネクターアダプターを使用して電池を２個装着できるタイプを使用すれば電池容量が少なくなった時点で機器の電源を切らずに１個ずつ電池交換が可能なため電源を切らずに運用できる。しかし、４個同時に充電できる４連バッテリー充電器で充電されたバッテリーを２個のバッテリーが装着できるバッテリーからDC出力ができるバッテリーDC出力コネクターアダプターに装着して運用する際、バッテリー充電器からいちいち移動させて装着して運用しなければならない。また、バッテリーのコンディション等も把握できず。古いバッテリーは残量が残っていても急に電源が落ちてしまうことがあった。暑い日の屋外での撮影においてはバッテリーの内部温度が上昇してバッテリーの保護回路が働いて撮影途中でバッテリーが使用できなる場合があった。年数が経つと同じ日に使用を開始した複数のバッテリーの充電回数が不明なためコンディションがわからなかった。
【０００６】
本発明はこのような事情に鑑みてなされたものであり、主にビデオ機器及びカメラ機器、周辺機器にDC電源を出力する端子を有する特にリチウムイオンバッテリー充電器及びその充電器で充電するリチウムイオンバッテリー及びバッテリー運用システムを提供するものである。
【課題を解決するための手段】
【０００７】
本発明によれば、AC電源に接続可能なバッテリー充電器であって、バッテリーが接続可能であり、DC電圧を出力する端子を備え、切替スイッチにより、前記AC電源を電源として前記端子から前記DC電圧を出力するか、前記バッテリーを電源として前記端子から前記DC電圧を出力するかを切り替え可能に構成されている、バッテリー充電器が提供される。
【０００８】
本発明によれば、例えば、ビデオ機器及びカメラ機器、周辺機器に使用するリバッテリー充電器及びその充電器で充電するリチウムイオンバッテリーシステムであり、バッテリー充電器で充電されたバッテリーをそのままバッテリー充電器の切替スイッチにより充電されたバッテリーを移動することなく、ビデオ機器及びカメラ機器、周辺機器にDC電源を出力する電源コネクターが提供される。
【０００９】
上記の通り、ビデオ機器及びカメラ機器、周辺機器に使用するバッテリー充電器及びその充電器で充電するバッテリーシステムでは充電モードまたはAC-DC変換によるDC電源出力モードを有するバッテリー充電器システムは市販されているが、どれもあまり使い勝手がよいものではない。バッテリーを充電する又はAC-DCアダプターとして使用するだけであった。
【００１０】
このような状況においては、本発明者は、映像撮影現場で、カメラやモニター、照明など、様々なDC駆動の機器が使用されているが、屋外現場ではAC電源の確保が難しい場合が多く、バッテリーに運用が比率的に多い。また、バッテリー充電器のAC-DC電源出力機能では出力容量不足、（複数の機器を同時に運用するだけの電力が無い。）市販の主な充電器で、充電されたバッテリーを使用しての場合は運用中のバッテリー交換時期の問題等非常に運用上撮影時間等に制約があることに気がついた。いちいちバッテリーDC出力コネクターアダプターにバッテリーを装着し直して運用するのが煩わしいと感じた。また、繰り返し使用しているバッテリーは日々過酷な条件で使用されているため、バッテリーの寿命の目安が欲しいと気づいた。
【００１１】
そして、この気づきに基づき、バッテリーチャージャーをそのまま多数のビデオ機器及びカメラ機器、周辺機器に接続したまま同時使用するように、バッテリー充電器で充電した電池のはめ替えや移動をすることなく、バッテリーの切替スイッチによりバッテリー充電器のDC出力より切替スイッチを設けることにより可能なことに気づいた。例えば４本のバッテリーを充電する充電器においては2本充電しながら、2本はビデオ機器及びカメラ機器、周辺機器に使用するといった運用。充電しながら充電器に装着したまま充電されたバッテリーを移動することなく、切替スイッチによりDC出力するようにした。また、スマートフォンにアプリを入れてバッテリーが充電されている時にネット回線に接続された充電器でバッテリーの位置や、バッテリーの充電回数、内部温度がしることができ、また、バッテリー単体のバッテリー残量ボタンを長押しすることにより、携帯電話とバッテリーが直接通信してバッテリー内部の情報がわかることができ、それによってバッテリーを使用した運用が向上させることができることを見出し、本発明の完成に到った。
【００１２】
このバッテリー充電器とバッテリーを使用すれば、ビデオ機器及びカメラ機器、周辺機器にDC電源を出力する端子により複数のバッテリーを使用しての電源出力が可能となり長時間撮影を行うことができる。
【００１３】
また、本発明によれば、バッテリー充電器とバッテリーを使用すればバッテリーのコンディションも把握できビデオ機器、カメラ機器を使用したスイッチャーシステム等大掛かりな撮影も安心してバッテリー運用ができるという利点も得られる。
【図面の簡単な説明】
【００１４】
【図１】本発明の一実施形態のバッテリー充電器とバッテリーの運用接続状態を示す。
【図２】従来の使用のバッテリーDC出力コネクターアダプターの外観を示す。
【図３】従来の使用充電器システムの外観を示す。
【発明を実施するための形態】
【００１５】
１．全体構成
図１は、本発明の一実施形態のバッテリー充電器とバッテリーの運用接続状態接続された状態を示す。
【００１６】
1図１に示すように、バッテリー充電システムの運用接続状態で（U）AC電源に接続された(AA) バッテリー充電器、(S) 切替スイッチ（バッテリー充電モード、OFF、AC-DC出力モード）が装備されている。
(S) 切替スイッチ（バッテリー充電モード、OFF、AC-DC出力モード）をAC-DC出力モードにした場合は(R) DC6電源出力コネクターより（７）カメラ等にAC電源での駆動を可能にしている。
2 (S) 切替スイッチ（バッテリー充電モード、OFF、AC-DC出力モード）をバッテリー充電モードにして(C)充電・バッテリー１出力制御スイッチを(BB)バッテリー１にした場合はバッテリーを充電するモードになり、(C)充電・バッテリー１出力制御スイッチをバッテリーよりDC出力に切り替えると（L）〜（Q）のコネクターより装着されたバッテリーの電源出力できる。
3図１の例では４個のバッテリー充電が可能であり、4個のバッテリーを個々に充電モードかバッテリー出力モードかを切替られる。つまり、（S） 切替スイッチ（バッテリー充電モード、OFF、AC-DC出力モード）をバッテリー充電モードにして(C) 充電・バッテリー1出力制御スイッチ、（D）充電・バッテリー2出力制御スイッチ、(E)充電・バッテリー3出力制御スイッチ（F）充電・バッテリー4出力制御スイッチ出力制御スイッチを(BB)バッテリー１、(CC) バッテリー2 、(DD) バッテリー3、(EE)バッテリー4にした場合はバッテリーを充電するモードになり、(C) 充電・バッテリー1出力制御スイッチ、（D）充電・バッテリー2出力制御スイッチ、(E)充電・バッテリー3出力制御スイッチ（F）充電・バッテリー4出力制御スイッチ出力制御スイッチを（T）電源部に接続部側に設定することにより(L)DC1電源出力コネクター、(M)DC2電源出力コネクター、(N)DC3電源出力コネクター、(O)DC4電源出力コネクター、(P)DC5電源出力コネクター、(Q)DC6電源出力コネクターより電源出力できる。
運用例として (C) 充電・バッテリー1出力制御スイッチ、（D）充電・バッテリー2出力制御スイッチ、(E)充電・バッテリー3出力制御スイッチ（F）充電・バッテリー4出力制御スイッチ出力制御スイッチを個々のバッテリーが出力モード、充電モードと切替えられるため、(BB)バッテリー1と（CC）バッテリー2を充電しながら（DD）バッテリー3(EE)バッテリー4からは（T）電源分電部を通り、(L)DC1電源出力コネクター、(M)DC2電源出力コネクター、(N)DC3電源出力コネクター、(O)DC4電源出力コネクター、(P)DC5電源出力コネクター、(Q)DC6電源出力コネクターより電源出力できる。つまり、2本充電しながら2本はバッテリーからの電源出力で使用できる。
(C) 充電・バッテリー1出力制御スイッチ、
(D) 充電・バッテリー2出力制御スイッチ、
(E) 充電・バッテリー3出力制御スイッチ
(F) 充電・バッテリー4出力制御スイッチ出力制御スイッチを個々のバッテリーが出力モード、充電モードと切替えられるためを組合せ使用することにより充電しながら出力するバッテリーを選択できる。
【００１７】
（AA）バッテリー充電器の（G）外部LAN接続・無線通信モジュールと(BB)バッテリー１、(CC) バッテリー2 、(DD) バッテリー3、(EE)バッテリー4の(8)無線通信モジュール1、(8)無線通信モジュール2、(9)無線通信モジュール3、(10)無線通信モジュール4で（AA）バッテリー充電器に(U)AC接続されて充電モードになっている場合に、
バッテリーとバッテリーチャージャーが通信して充電器にバッテリーの情報（位置、充電回数、内部温度等）が（O）スマートフォンに(G)外部LAN接続・無線通信文字ユールにより情報が送られる。
【００１８】
次に、図１は、本実施形態の機能を実現するための一例であって、同様の機能が実現可能であれば、回路構成は別のものであってもよい。
【００１９】
また、図１は、本実施形態の機能を実現するための一例であって、同様の機能が実現可能であれば、バッテリーの種類はリチウムイオン電池にこだわらず他の電池の種類であってもよい。
【００２０】
以上のバッテリー充電システムで、ビデオ機器及びカメラ機器、周辺機器でのDC電源の使用方法が格段に向上する。
【符号の説明】
【００２１】
AA  バッテリー充電器
BB  バッテリー１
CC  バッテリー２
DD  バッテリー３
EE  バッテリー４
FF  スマートフォン（携帯電話）
A AC-DCコンバーター
B 充電制御回路
C充電・バッテリー１出力制御スイッチ
D充電・バッテリー２出力制御スイッチ
E充電・バッテリー３出力制御スイッチ
F充電・バッテリー４出力制御スイッチ
G 外部LAN接続・無線通信モジュール
H バッテリー装着アダプター
I バッテリー装着アダプター
J バッテリー装着アダプター
K バッテリー装着アダプター
L  DC2電源出力コネクター
M  DC2電源出力コネクター
N  DC3電源出力コネクター
O  DC4電源出力コネクター
P  DC5電源出力コネクター
Q  DC6電源出力コネクター
R  DC6電源出力コネクター
S  切替スイッチ（バッテリー充電モード、OFF、AC-DC出力モード）
T  電源分電部
U  AC電源
1 カメラ
2 カメラ
3 照明器具
4 レコーダー
5 モニター
6 スイッチャー
7 カメラ
8 無線通信モジュール１
9 無線通信モジュール２
10無線通信モジュール３
11無線通信モジュール４
12押しボタンスイッチ１
13押しボタンスイッチ２
14押しボタンスイッチ３
15押しボタンスイッチ４
17日本ビデオシステム社製  4連充電器 AC電源使用時のみDC１５V電源出力可能
【図１】
2019213338.tif 000003
【図２】
2019213338.tif 000004
【図３】
2019213338.tif 000005
【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
ＡＣ電源に接続可能なバッテリー充電器であって、
複数のバッテリーが接続可能であり、
ＤＣ電圧を出力する端子を備え、
前記複数のバッテリーは、互いに独立して、前記ＡＣ電源を電源として前記バッテリーを充電する充電モードと、前記バッテリーを電源として前記端子から前記ＤＣ電圧を出力する出力モードが切り替え可能になっており、
切替スイッチにより、前記ＡＣ電源を電源として前記端子から前記ＤＣ電圧を出力するか、前記バッテリーを電源として前記端子から前記ＤＣ電圧を出力するかを切り替え可能に構成されている、バッテリー充電器。
【請求項２】
請求項１に記載のバッテリー充電器であって、
携帯電話のアプリと連動し無線で通信し充電中バッテリーの場所、及びバッテリーのコンディションが携帯電話で確認することのできる、バッテリー充電器。
【請求項３】
請求項１又は請求項２に記載のバッテリー充電器を備えるバッテリーシステムであって、
前記バッテリー充電器で充電されたバッテリーが直接携帯電話のアプリと連動し無線で通信し充電中バッテリーのコンディション、充電回数、内部温度が携帯電話で確認することのできるバッテリーシステム。
【請求項４】
請求項１又は請求項２に記載のバッテリー充電器を備えるバッテリーシステムであって、
前記バッテリー充電器で充電された電池本体の残量ボタンを長押しすることにより携帯電話のアプリを使用して直接通信して電池のコンディションを表示確認することのできるバッテリーシステム。